(57)【要約】  小売商品トレーが提供される。小売商品トレーは、耐荷重部材のペアと、耐荷重部材にマウントされた前面ストッパと、前面ストッパ及び耐荷重部材に取り外し可能に取り付けられたワイヤ支持構造と、ワイヤ支持構造に沿って摺動するプッシャと、可動仕切りアセンブリのペアと、を含む。
2021504094.tif 000002
【特許請求の範囲】
【請求項１】
対向する耐荷重部材のペアと、
前記耐荷重部材ペアにマウントされた前面ストッパと、
対向する第１及び第２の端部を有するワイヤ支持構造であって、前記ワイヤ支持構造は、前記第１の端部において前記前面ストッパに取り外し可能に取り付けられており、前記第２の端部において前記耐荷重部材ペアに取り外し可能に取り付けられている、前記ワイヤ支持構造と、
前記ワイヤ支持構造にマウントされたプッシャであって、前記プッシャは、前記ワイヤ支持構造に沿って、第１の軸の方向に前記前面ストッパに向かったり、前記前面ストッパから離れたりするように動くことが可能である、前記プッシャと、
前記対向する耐荷重部材のペアに対して、前記第１の軸に垂直な第２の軸の方向に動くことが可能な少なくとも１つの仕切りアセンブリと、
前記第１の軸に沿って整列しており、前記耐荷重部材ペアの間に介在し、前記ワイヤ支持フレームの下に位置する、スペーサのペアと、
を含む小売商品トレー。
【請求項２】
前記少なくとも１つの仕切りアセンブリは仕切りアセンブリのペアを含み、前記仕切りアセンブリペアは、前記第２の軸の周囲を動くことが可能であり、前記耐荷重部材ペアが前記仕切りアセンブリペアの間に介在するように前記仕切りアセンブリペアが配列されている、請求項１に記載の小売商品トレー。
【請求項３】
前記少なくとも１つの仕切りアセンブリは、仕切り壁と、ワイヤ支持物のペアとを含み、前記ワイヤ支持物ペアは、弾性接続によって、前記仕切りに取り外し可能に取り付けられている、請求項１に記載の小売商品トレー。
【請求項４】
前記仕切り壁は、対向する側面を有する直立部分を含み、前記対向する側面の少なくとも一方からフランジが前記直立部分に垂直に延びている、請求項３に記載の小売商品トレー。
【請求項５】
前記少なくとも１つの仕切りアセンブリは、摺動可能な接続によって前記少なくとも一方のフランジに接続されたバッフルプレート延長部を含み、前記バッフルプレート延長部は、前記スペーサペアに対して摺動可能であるように、且つ、前記仕切り壁に対して摺動可能であるように、摺動可能な接続によって前記スペーサペアの各スペーサにマウントされている、請求項４に記載の小売商品トレー。
【請求項６】
前記バッフルプレート延長部と前記少なくとも一方のフランジとの間の前記摺動可能な接続は、前記フランジから下向きに延びるタブと、前記バッフルプレート延長部に形成されて、前記タブを受けるスロットと、を含み、前記バッフルプレート延長部と前記スペーサペアとの間の前記摺動可能な接続は、前記バッフルプレート延長部上に形成されたクリップのペアを含み、前記クリップペアの一方のクリップは、前記スペーサペアの一方のスペーサに接続され、前記クリップペアの他方のクリップは、前記スペーサペアの他方のスペーサに接続される、請求項５に記載の小売商品トレー。
【請求項７】
前記スペーサペアに接続されたバッフルプレートを更に含み、前記バッフルプレートはクリップのペアを含み、前記クリップペアの一方のクリップは、前記スペーサペアの一方のスペーサに接続され、前記クリップペアの他方のクリップは、前記スペーサペアの他方のスペーサに接続される、請求項１に記載の小売商品トレー。
【請求項８】
前記小売商品トレーを棚にマウントする棚マウント構成を更に含み、前記棚マウント構成は、
前記スペーサペアの一方に取り外し可能に取り付けられたマウントプレートであって、前記トレーを前記棚に固定する為に前記棚のアパーチャ内に延びるように構成された延長部を有する前記マウントプレート、又は
前記小売棚及び少なくとも１つのマウントタブにマウントされるように構成されたマウントレールであって、前記少なくとも１つのマウントタブを隣接する歯の間のスペースで受けるように間隔を空けて配置された複数の歯を含み、前記少なくとも１つのマウントタブが前記前面ストッパ上に形成されている、前記マウントレール
のいずれかを含む、請求項１に記載の小売商品トレー。
【請求項９】
前記前面ストッパはマウント部分及び直立部分を含み、前記マウント部分は、剛体の１ピースの構成要素として前記直立部分と一体成形されているか、前記直立部分とは別個のピースとして成形されているか、のいずれかであり、前記直立部分と前記マウント部分との間にヒンジが形成されて、前記直立部分が前記ヒンジを中心に前記マウント部分に対して回転することが可能になっている、請求項１に記載の小売商品トレー。
【請求項１０】
前記ワイヤ支持構造は、横方向要素と、前記横方向要素から延びる少なくとも１つの長手方向要素とを含み、前記横方向要素は、対向する端部のペアを含み、前記対向する端部の各端部に隣接してキーが形成されており、各キーは、それぞれ、前記耐荷重部材ペアの各耐荷重部材に形成されたキー溝を通り抜けるように配置されており、それによって、前記耐荷重部材ペアは前記横方向部材の各端部に形成された前記キーの間に介在する、請求項１０に記載の小売商品トレー。
【請求項１１】
対向する耐荷重部材のペアと、
前記耐荷重部材ペアにマウントされた前面ストッパと、
横方向要素と、前記横方向要素から延びる少なくとも１つの長手方向要素とを含むワイヤ支持構造であって、前記少なくとも１つの長手方向要素は、前記耐荷重部材ペアに平行に延びており、前記耐荷重部材ペアの間に介在する、前記ワイヤ支持構造と、
前記ワイヤ支持構造にマウントされたプッシャであって、前記プッシャは、前記ワイヤ支持構造に沿って、第１の軸の方向に前記前面ストッパに向かったり、前記前面ストッパから離れたりするように動くことが可能である、前記プッシャと、
前記対向する耐荷重部材のペアに対して、前記第１の軸に垂直な第２の軸の方向に動くことが可能な少なくとも１つの仕切りアセンブリであって、前記少なくとも１つの仕切りは、仕切り壁と、ワイヤ支持物のペアとを含み、前記ワイヤ支持物ペアは弾性接続によって前記仕切りに取り外し可能に取り付けられている、前記少なくとも１つの仕切りアセンブリと、
前記第１の軸に沿って整列しており、前記耐荷重部材ペアの間に介在し、前記ワイヤ支持フレームの下に位置するスペーサのペアであって、前記少なくとも１つの仕切りの前記ワイヤ支持物を受ける前記スペーサペアと、
を含む小売商品トレー。
【請求項１２】
前記少なくとも１つの仕切りアセンブリは仕切りアセンブリのペアを含み、前記仕切りアセンブリペアは、前記第２の軸の周囲を動くことが可能であり、前記耐荷重部材ペアが前記仕切りアセンブリペアの間に介在するように前記仕切りアセンブリペアが配列されている、請求項１１に記載の小売商品トレー。
【請求項１３】
前記ワイヤ支持構造は、対向する第１及び第２の端部を有し、前記ワイヤ支持構造は、前記第１の端部において前記前面ストッパに取り外し可能に取り付けられており、前記第２の端部において前記耐荷重部材ペアに取り外し可能に取り付けられている、請求項１１に記載の小売商品トレー。
【請求項１４】
前記仕切り壁は、対向する側面を有する直立部分を含み、前記対向する側面の少なくとも一方からフランジが前記直立部分に垂直に延びている、請求項１３に記載の小売商品トレー。
【請求項１５】
前記少なくとも１つの仕切りアセンブリは、摺動可能な接続によって前記少なくとも一方のフランジに接続されたバッフルプレート延長部を含み、前記バッフルプレート延長部は、前記スペーサペアに対して摺動可能であるように、且つ、前記仕切り壁に対して摺動可能であるように、摺動可能な接続によって前記スペーサペアの各スペーサにマウントされている、請求項１４に記載の小売商品トレー。
【請求項１６】
前記バッフルプレート延長部と前記少なくとも一方のフランジとの間の前記摺動可能な接続は、前記フランジから下向きに延びるタブと、前記バッフルプレート延長部に形成されて、前記タブを受けるスロットと、を含み、前記バッフルプレート延長部と前記スペーサペアとの間の前記摺動可能な接続は、前記バッフルプレート延長部上に形成されたクリップのペアを含み、前記クリップペアの一方のクリップは、前記スペーサペアの一方のスペーサに接続され、前記クリップペアの他方のクリップは、前記スペーサペアの他方のスペーサに接続される、請求項１５に記載の小売商品トレー。
【請求項１７】
前記スペーサペアに接続されたバッフルプレートを更に含み、前記バッフルプレートはクリップのペアを含み、前記クリップペアの一方のクリップは、前記スペーサペアの一方のスペーサに接続され、前記クリップペアの他方のクリップは、前記スペーサペアの他方のスペーサに接続される、請求項１６に記載の小売商品トレー。
【請求項１８】
前記小売商品トレーを棚にマウントする棚マウント構成を更に含み、前記棚マウント構成は、
前記スペーサペアの一方に取り外し可能に取り付けられたマウントプレートであって、前記トレーを前記棚に固定する為に前記棚のアパーチャ内に延びるように構成された延長部を有する前記マウントプレート、又は
前記小売棚及び少なくとも１つのマウントタブにマウントされるように構成されたマウントレールであって、前記少なくとも１つのマウントタブを隣接する歯の間のスペースで受けるように間隔を空けて配置された複数の歯を含み、前記少なくとも１つのマウントタブが前記前面ストッパ上に形成されている、前記マウントレール
のいずれかを含む、請求項１７に記載の小売商品トレー。
【請求項１９】
前記前面ストッパはマウント部分及び直立部分を含み、前記マウント部分は、剛体の１ピースの構成要素として前記直立部分と一体成形されているか、前記直立部分とは別個のピースとして成形されているか、のいずれかであり、前記直立部分と前記マウント部分との間にヒンジが形成されて、前記直立部分が前記ヒンジを中心に前記マウント部分に対して回転することが可能になっている、請求項１８に記載の小売商品トレー。
【請求項２０】
前記横方向要素は、対向する端部のペアを含み、前記対向する端部の各端部に隣接してキーが形成されており、各キーは、それぞれ、前記耐荷重部材ペアの各耐荷重部材に形成されたキー溝を通り抜けるように配置されており、それによって、前記耐荷重部材ペアは前記横方向部材の各端部に形成された前記キーの間に介在する、請求項１１に記載の小売商品トレー。
【請求項２１】
対向する耐荷重部材のペアと、
前記耐荷重部材ペアにマウントされた前面ストッパと、
ワイヤ支持構造であって、前記ワイヤ支持構造は、横方向要素と、前記横方向要素から延びる少なくとも１つの長手方向要素とを含み、前記横方向要素は、対向する端部のペアを含み、前記対向する端部の各端部に隣接してキーが形成されており、各キーは、それぞれ、前記耐荷重部材ペアの各耐荷重部材に形成されたキー溝を通り抜けるように配置されており、それによって、前記耐荷重部材ペアは前記横方向部材の各端部に形成された前記キーの間に介在する、前記ワイヤ支持構造と、
前記ワイヤ支持構造にマウントされたプッシャであって、前記プッシャは、前記ワイヤ支持構造に沿って、第１の軸の方向に前記前面ストッパに向かったり、前記前面ストッパから離れたりするように動くことが可能である、前記プッシャと、
前記対向する耐荷重部材のペアに対して、前記第１の軸に垂直な第２の軸の方向に動くことが可能な少なくとも１つの仕切りアセンブリと、
前記第１の軸に沿って整列しており、前記耐荷重部材ペアの間に介在し、前記ワイヤ支持フレームの下に位置するスペーサのペアと、
を含む小売商品トレー。
【請求項２２】
前記少なくとも１つの仕切りアセンブリは仕切りアセンブリのペアを含み、前記仕切りアセンブリペアは、前記第２の軸の周囲を動くことが可能であり、前記耐荷重部材ペアが前記仕切りアセンブリペアの間に介在するように前記仕切りアセンブリペアが配列されている、請求項２１に記載の小売商品トレー。
【請求項２３】
前記ワイヤ支持構造は、対向する第１及び第２の端部を有し、前記ワイヤ支持構造は、前記第１の端部において前記前面ストッパに取り外し可能に取り付けられており、前記第２の端部において前記耐荷重部材ペアに取り外し可能に取り付けられている、請求項２１に記載の小売商品トレー。
【請求項２４】
前記仕切り壁は、対向する側面を有する直立部分を含み、前記対向する側面の少なくとも一方からフランジが前記直立部分に垂直に延びている、請求項２３に記載の小売商品トレー。
【請求項２５】
前記少なくとも１つの仕切りアセンブリは、摺動可能な接続によって前記少なくとも一方のフランジに接続されたバッフルプレート延長部を含み、前記バッフルプレート延長部は、前記スペーサペアに対して摺動可能であるように、且つ、前記仕切り壁に対して摺動可能であるように、摺動可能な接続によって前記スペーサペアの各スペーサにマウントされている、請求項２４に記載の小売商品トレー。
【請求項２６】
前記バッフルプレート延長部と前記少なくとも一方のフランジとの間の前記摺動可能な接続は、前記フランジから下向きに延びるタブと、前記バッフルプレート延長部に形成されて、前記タブを受けるスロットと、を含み、前記バッフルプレート延長部と前記スペーサペアとの間の前記摺動可能な接続は、前記バッフルプレート延長部上に形成されたクリップのペアを含み、前記クリップペアの一方のクリップは、前記スペーサペアの一方のスペーサに接続され、前記クリップペアの他方のクリップは、前記スペーサペアの他方のスペーサに接続される、請求項２５に記載の小売商品トレー。
【請求項２７】
前記スペーサペアに接続されたバッフルプレートを更に含み、前記バッフルプレートはクリップのペアを含み、前記クリップペアの一方のクリップは、前記スペーサペアの一方のスペーサに接続され、前記クリップペアの他方のクリップは、前記スペーサペアの他方のスペーサに接続される、請求項２６に記載の小売商品トレー。
【請求項２８】
前記小売商品トレーを棚にマウントする棚マウント構成を更に含み、前記棚マウント構成は、
前記スペーサペアの一方に取り外し可能に取り付けられたマウントプレートであって、前記トレーを前記棚に固定する為に前記棚のアパーチャ内に延びるように構成された延長部を有する前記マウントプレート、又は
前記小売棚及び少なくとも１つのマウントタブにマウントされるように構成されたマウントレールであって、前記少なくとも１つのマウントタブを隣接する歯の間のスペースで受けるように間隔を空けて配置された複数の歯を含み、前記少なくとも１つのマウントタブが前記前面ストッパ上に形成されている、前記マウントレール
のいずれかを含む、請求項２１に記載の小売商品トレー。
【請求項２９】
前記前面ストッパはマウント部分及び直立部分を含み、前記マウント部分は、剛体の１ピースの構成要素として前記直立部分と一体成形されているか、前記直立部分とは別個のピースとして成形されているか、のいずれかであり、前記直立部分と前記マウント部分との間にヒンジが形成されて、前記直立部分が前記ヒンジを中心に前記マウント部分に対して回転することが可能になっている、請求項２８に記載の小売商品トレー。
【請求項３０】
前記少なくとも１つの仕切りアセンブリは、仕切り壁と、ワイヤ支持物のペアとを含み、前記ワイヤ支持物ペアは、弾性接続によって、前記仕切りに取り外し可能に取り付けられている、請求項２１に記載の小売商品トレー。
【発明の詳細な説明】
【技術分野】
【０００１】
本発明は、全般的には小売商品陳列に関し、特に、小売商品を前方に付勢する為に使用されるセルフ対面式小売商品陳列に関する。
【背景技術】
【０００２】
セルフ対面式小売商品陳列は、当該技術分野において広く知られている。かつてのそのような陳列はプッシャシステムである。従来のプッシャシステムには、それぞれの細長いトラックの上を移動する１つ以上のプッシャパドル又はプッシャボディが組み込まれている。プッシャボディとトラックの先端部との間にばねが接続されている。このばねは、トラックの先端部に向けて、プッシャボディをトラックに沿って前方に付勢するように動作する。
【０００３】
ユーザは、プッシャボディを引っ込めてトラックの先端部から離し、トラックの先端部とプッシャボディとの間のトラックの上に、小売商品の各アイテムを直線列状に配置することが可能である。ばねによって与えられてプッシャボディにかかる付勢力は、小売商品の直線列を前方に付勢し、最終的に商品の「前面を揃える」ように働く。
【０００４】
即ち、客が商品の直線列から先頭の商品アイテムを取り出すと、プッシャボディがばねによって前方に引っ張られて、商品列が前方に割送りされ、それによって、列における次の商品アイテムがトラックの先端部近くに配置されて、見た目が良くなる。そのような自動前面揃えにより、小売店の従業員が手動で商品の前面を揃えることが不要になり、従って、最終的に小売店の人件費が削減される。
【０００５】
上述のプッシャシステムは、様々な小売陳列環境で利用されている。一例として小売棚がある。典型的には、複数のプッシャボディと、それぞれに対応するトラックとが、棚に沿って隣り合わせに配置されている。各プッシャボディ及び対応するトラックが仕切りで区切られており、それによって、棚の前部から後部に延びる、複数のほぼまっすぐな商品列が保持される。そのようなよく知られた構成は、一例として、デオドラント等の衛生用品を販売する多くの小売店で見られる。
【０００６】
別の構成では、プッシャシステムは、スタンドアロンのプッシャトレーとして実施されてよい。このようなトレーは、バーのような別の構造物から延びるカンチレバとしてトレーをマウントする手段を含んでよい。このようなトレーは、小売棚に直接設置されてもよい。更に、このようなトレーは、様々な幅の商品に対応できるように調節可能なサイドバリアを含んでよい。そのようなトレーの例が、それぞれ参照によって完全な形で本明細書に組み込まれている米国特許第９，２５４，０４９号、同第９，２４１，５８３号、同第８，７２０，７０２号において容易に見つかるであろう。
【発明の概要】
【発明が解決しようとする課題】
【０００７】
本発明は、上述のプッシャシステムの改良に関し、特に、上述のプッシャトレーに関する。本発明のそれら及び他の利点、並びに更なる発明特徴が、本明細書において提供される発明の説明によって明らかになるであろう。
【課題を解決するための手段】
【０００８】
一態様では、本発明は、設置が容易なワイヤ支持構造が組み込まれた小売商品トレーを提供する。この態様による小売商品トレーは、有利なことに、ワイヤ支持構造をトレーのその他の部分に固定する溶接工程が全く不要である。この態様による一実施形態は、対向する耐荷重部材のペアと、耐荷重部材ペアにマウントされた前面ストッパと、を含む。この実施形態の小売商品トレーは更に、対向する第１及び第２の端部を有するワイヤ支持構造を含む。ワイヤ支持構造は、第１の端部において前面ストッパに取り外し可能に取り付けられており、第２の端部において耐荷重部材ペアに取り外し可能に取り付けられている。この実施形態の小売商品トレーは更に、ワイヤ支持構造にマウントされたプッシャであって、ワイヤ支持構造に沿って、第１の軸の方向に前面ストッパに向かったり、前面ストッパから離れたりするように動くことが可能なプッシャを含む。少なくとも１つの仕切りアセンブリも含まれ、これは、対向する耐荷重部材のペアに対して、第１の軸に垂直な第２の軸の方向に動くことが可能である。スペーサのペアが、第１の軸に沿って整列しており、耐荷重部材ペアの間に介在し、ワイヤ支持フレームの下に位置する。
【０００９】
この態様による実施形態では、少なくとも１つの仕切りアセンブリは仕切りアセンブリのペアを含み、この仕切りアセンブリペアは、第２の軸の周囲を動くことが可能であり、耐荷重部材ペアが仕切りアセンブリペアの間に介在するように、この仕切りアセンブリペアが配列されている。少なくとも１つの仕切りアセンブリは、仕切り壁と、ワイヤ支持物のペアとを含む。ワイヤ支持物ペアは、弾性接続によって、仕切りに取り外し可能に取り付けられている。
【００１０】
この態様による実施形態では、仕切り壁は、対向する側面を有する直立部分を含む。対向する側面の少なくとも一方からフランジが直立部分に垂直に延びている。少なくとも１つの仕切りアセンブリは、摺動可能な接続によって少なくとも一方のフランジに接続されたバッフルプレート延長部を含む。バッフルプレート延長部は、スペーサペアに対して摺動可能であるように、且つ、仕切り壁に対して摺動可能であるように、摺動可能な接続によってスペーサペアの各スペーサにマウントされている。バッフルプレート延長部と少なくとも一方のフランジとの間の摺動可能な接続は、フランジから下向きに延びるタブと、バッフルプレート延長部に形成されて、タブを受けるスロットと、を含む。バッフルプレート延長部とスペーサペアとの間の摺動可能な接続は、バッフルプレート延長部上に形成されたクリップのペアを含み、クリップペアの一方のクリップは、スペーサペアの一方のスペーサに接続され、クリップペアの他方のクリップは、スペーサペアの他方のスペーサに接続される。
【００１１】
この態様による実施形態では、スペーサペアにバッフルプレートが接続されている。バッフルプレートはクリップのペアを含み、クリップペアの一方のクリップは、スペーサペアの一方のスペーサに接続され、クリップペアの他方のクリップは、スペーサペアの他方のスペーサに接続される。
【００１２】
この態様による実施形態では、小売商品トレーを棚にマウントする棚マウント構成が提供される。棚マウント構成は、スペーサペアの一方に取り外し可能に取り付けられたマウントプレートであって、トレーを棚に固定する為に棚のアパーチャ内に延びるように構成された延長部を有するマウントプレート、又は、小売棚及び少なくとも１つのマウントタブにマウントされるように構成されたマウントレールであって、少なくとも１つのマウントタブを隣接する歯の間のスペースで受けるように間隔を空けて配置された複数の歯を含み、少なくとも１つのマウントタブが前面ストッパ上に形成されている、マウントレールのいずれかを含む。
【００１３】
この態様による実施形態では、前面ストッパは、マウント部分及び直立部分を含む。マウント部分は、剛体の１ピースの構成要素として直立部分と一体成形されているか、直立部分とは別個のピースとして成形されているか、のいずれかであり、直立部分とマウント部分との間にヒンジが形成されて、直立部分がヒンジを中心にマウント部分に対して回転することが可能になっている。
【００１４】
この態様による実施形態では、ワイヤ支持構造は、横方向要素と、横方向要素から延びる少なくとも１つの長手方向要素とを含む。横方向要素は、対向する端部のペアを含み、その対向する端部の各端部に隣接してキーが形成されている。各キーは、それぞれ、耐荷重部材ペアの各耐荷重部材に形成されたキー溝を通り抜けるように配置されており、それによって、耐荷重部材ペアは横方向部材の各端部に形成されたキーの間に介在する。
【００１５】
別の態様では、本発明は、弾性接続によって組み立てられた仕切りアセンブリを使用する小売商品トレーを提供する。これにより、有利なことに仕切りアセンブリに関して溶接が不要であり、仕切りアセンブリの仕切り壁の交換が短時間で可能である。この態様による一実施形態は、対向する耐荷重部材のペアを含み、この耐荷重部材ペアには前面ストッパがマウントされている。この実施形態の小売商品トレーは更に、横方向要素と、横方向要素から延びる少なくとも１つの長手方向要素と、を含むワイヤ支持構造を含む。少なくとも１つの長手方向要素は、耐荷重部材ペアに平行に延びており、耐荷重部材ペアの間に介在する。ワイヤ支持構造にプッシャがマウントされている。プッシャは、ワイヤ支持構造に沿って、第１の軸の方向に前面ストッパに向かったり、前面ストッパから離れたりするように動くことが可能である。この実施形態の小売商品トレーは更に、少なくとも１つの仕切りアセンブリを含み、これは、対向する耐荷重部材のペアに対して、第１の軸に垂直な第２の軸の方向に動くことが可能である。少なくとも１つの仕切りは、仕切り壁と、ワイヤ支持物のペアとを含み、ワイヤ支持物ペアは、弾性接続によって、仕切りに取り外し可能に取り付けられている。スペーサのペアが、第１の軸に沿って整列しており、耐荷重部材ペアの間に介在し、ワイヤ支持フレームの下に位置する。スペーサペアは、少なくとも１つの仕切りのワイヤ支持物を受ける。
【００１６】
この態様による実施形態では、少なくとも１つの仕切りアセンブリは仕切りアセンブリのペアを含み、この仕切りアセンブリペアは、第２の軸の周囲を動くことが可能であり、耐荷重部材ペアが仕切りアセンブリペアの間に介在するように、この仕切りアセンブリペアが配列されている。
【００１７】
この態様による実施形態では、ワイヤ支持構造は、対向する第１及び第２の端部を有する。ワイヤ支持構造は、第１の端部において前面ストッパに取り外し可能に取り付けられており、第２の端部において耐荷重部材ペアに取り外し可能に取り付けられている。
【００１８】
この態様による実施形態では、仕切り壁は、対向する側面を有する直立部分を含む。対向する側面の少なくとも一方からフランジが直立部分に垂直に延びている。少なくとも１つの仕切りアセンブリは、摺動可能な接続によって少なくとも一方のフランジに接続されたバッフルプレート延長部を含む。バッフルプレート延長部は、スペーサペアに対して摺動可能であるように、且つ、仕切り壁に対して摺動可能であるように、摺動可能な接続によってスペーサペアの各スペーサにマウントされている。バッフルプレート延長部と少なくとも一方のフランジとの間の摺動可能な接続は、フランジから下向きに延びるタブと、バッフルプレート延長部に形成されて、タブを受けるスロットと、を含む。バッフルプレート延長部とスペーサペアとの間の摺動可能な接続は、バッフルプレート延長部上に形成されたクリップのペアを含み、クリップペアの一方のクリップは、スペーサペアの一方のスペーサに接続され、クリップペアの他方のクリップは、スペーサペアの他方のスペーサに接続される。
【００１９】
この態様による実施形態では、スペーサペアにバッフルプレートが接続されている。バッフルプレートはクリップのペアを含み、クリップペアの一方のクリップは、スペーサペアの一方のスペーサに接続され、クリップペアの他方のクリップは、スペーサペアの他方のスペーサに接続される。
【００２０】
この態様による実施形態では、小売商品トレーを棚にマウントする棚マウント構成が提供される。棚マウント構成は、スペーサペアの一方に取り外し可能に取り付けられたマウントプレートであって、トレーを棚に固定する為に棚のアパーチャ内に延びるように構成された延長部を有するマウントプレート、又は、小売棚及び少なくとも１つのマウントタブにマウントされるように構成されたマウントレールであって、少なくとも１つのマウントタブを隣接する歯の間のスペースで受けるように間隔を空けて配置された複数の歯を含み、少なくとも１つのマウントタブが前面ストッパ上に形成されている、マウントレールのいずれかを含む。
【００２１】
この態様による実施形態では、前面ストッパは、マウント部分及び直立部分を含む。マウント部分は、剛体の１ピースの構成要素として直立部分と一体成形されているか、直立部分とは別個のピースとして成形されているか、のいずれかであり、直立部分とマウント部分との間にヒンジが形成されて、直立部分がヒンジを中心にマウント部分に対して回転することが可能になっている。
【００２２】
この態様による実施形態では、ワイヤ支持構造は、横方向要素と、横方向要素から延びる少なくとも１つの長手方向要素とを含む。横方向要素は、対向する端部のペアを含み、その対向する端部の各端部に隣接してキーが形成されている。各キーは、それぞれ、耐荷重部材ペアの各耐荷重部材に形成されたキー溝を通り抜けるように配置されており、それによって、耐荷重部材ペアは横方向部材の各端部に形成されたキーの間に介在する。
【００２３】
更に別の態様では、本発明は、キー構成を有利に利用してワイヤ支持構造をマウントする小売商品トレーを提供する。この態様による一実施形態は、対向する耐荷重部材のペアを含み、この耐荷重部材ペアには前面ストッパがマウントされている。この実施形態の小売商品トレーは更に、横方向要素と、横方向要素から延びる少なくとも１つの長手方向要素と、を含むワイヤ支持構造を含む。横方向要素は、対向する端部のペアを含む。その対向する端部の各端部に隣接してキーが形成されている。各キーは、それぞれ、耐荷重部材ペアの各耐荷重部材に形成されたキー溝を通り抜けるように配置されており、それによって、耐荷重部材ペアは横方向部材の各端部に形成されたキーの間に介在する。この実施形態の小売商品トレーは更に、ワイヤ支持構造にマウントされたプッシャを含む。プッシャは、ワイヤ支持構造に沿って、第１の軸の方向に前面ストッパに向かったり、前面ストッパから離れたりするように動くことが可能である。少なくとも１つの仕切りアセンブリが、対向する耐荷重部材のペアに対して、第１の軸に垂直な第２の軸の方向に動くことが可能である。スペーサのペアが、第１の軸に沿って整列しており、耐荷重部材ペアの間に介在し、ワイヤ支持フレームの下に位置する。
【００２４】
この態様による実施形態では、少なくとも１つの仕切りアセンブリは仕切りアセンブリのペアを含み、この仕切りアセンブリペアは、第２の軸の周囲を動くことが可能であり、耐荷重部材ペアが仕切りアセンブリペアの間に介在するように、この仕切りアセンブリペアが配列されている。
【００２５】
この態様による実施形態では、ワイヤ支持構造は、対向する第１及び第２の端部を有する。ワイヤ支持構造は、第１の端部において前面ストッパに取り外し可能に取り付けられており、第２の端部において耐荷重部材ペアに取り外し可能に取り付けられている。
【００２６】
この態様による実施形態では、仕切り壁は、対向する側面を有する直立部分を含む。対向する側面の少なくとも一方からフランジが直立部分に垂直に延びている。少なくとも１つの仕切りアセンブリは、摺動可能な接続によって少なくとも一方のフランジに接続されたバッフルプレート延長部を含む。バッフルプレート延長部は、スペーサペアに対して摺動可能であるように、且つ、仕切り壁に対して摺動可能であるように、摺動可能な接続によってスペーサペアの各スペーサにマウントされている。バッフルプレート延長部と少なくとも一方のフランジとの間の摺動可能な接続は、フランジから下向きに延びるタブと、バッフルプレート延長部に形成されて、タブを受けるスロットと、を含む。バッフルプレート延長部とスペーサペアとの間の摺動可能な接続は、バッフルプレート延長部上に形成されたクリップのペアを含み、クリップペアの一方のクリップは、スペーサペアの一方のスペーサに接続され、クリップペアの他方のクリップは、スペーサペアの他方のスペーサに接続される。
【００２７】
この態様による実施形態では、スペーサペアにバッフルプレートが接続されている。バッフルプレートはクリップのペアを含み、クリップペアの一方のクリップは、スペーサペアの一方のスペーサに接続され、クリップペアの他方のクリップは、スペーサペアの他方のスペーサに接続される。
【００２８】
この態様による実施形態では、小売商品トレーを棚にマウントする棚マウント構成が提供される。棚マウント構成は、スペーサペアの一方に取り外し可能に取り付けられたマウントプレートであって、トレーを棚に固定する為に棚のアパーチャ内に延びるように構成された延長部を有するマウントプレート、又は、小売棚及び少なくとも１つのマウントタブにマウントされるように構成されたマウントレールであって、少なくとも１つのマウントタブを隣接する歯の間のスペースで受けるように間隔を空けて配置された複数の歯を含み、少なくとも１つのマウントタブが前面ストッパ上に形成されている、マウントレールのいずれかを含む。
【００２９】
この態様による実施形態では、前面ストッパは、マウント部分及び直立部分を含む。マウント部分は、剛体の１ピースの構成要素として直立部分と一体成形されているか、直立部分とは別個のピースとして成形されているか、のいずれかであり、直立部分とマウント部分との間にヒンジが形成されて、直立部分がヒンジを中心にマウント部分に対して回転することが可能になっている。
【００３０】
この態様による実施形態では、少なくとも１つの仕切りアセンブリは、仕切り壁と、ワイヤ支持物のペアとを含む。ワイヤ支持物ペアは、弾性接続によって、仕切りに取り外し可能に取り付けられている。
【００３１】
以下の詳細説明を、添付図面と併せて参照することにより、本発明の他の態様、目的、及び利点がより明らかになるであろう。
【００３２】
本明細書に組み込まれ、その一部を形成する添付図面は、本発明のいくつかの態様を示しており、詳細説明とともに、本発明の原理を説明する役割を果たす。
【００３３】
本発明の説明は特定の好ましい実施形態に関して行われるが、本発明をそれらの実施形態に限定することは意図されていない。むしろ、あらゆる代替形態、修正形態、及び等価形態を、添付の特許請求項によって規定される本発明の趣旨及び範囲に含まれるものとしてカバーすることが意図されている。
【図面の簡単な説明】
【００３４】
【図１】本明細書の教示による小売商品トレーの一例示的実施形態の斜視図である。
【図２】図１の小売商品トレーの分解斜視図である。
【図３】図１の小売商品トレーの、スペーサの領域の断面図である。
【図４】図１の仕切りアセンブリの部分斜視図であって、その弾性接続を示す図である。
【図５】図１の小売商品トレーの部分斜視図であって、その前面ストッパを示す図である。
【図６】図１の小売商品トレーの部分斜視図であって、そのプッシャを示す図である。
【図７】図６に示されたプッシャの別の斜視図である。
【図８】図１の小売商品トレーの部分斜視図であって、小売商品トレーのワイヤ支持構造と耐荷重部材との間の取り外し可能な接続を示す図である。
【図９】図１の小売商品トレーの別の実施形態の部分斜視図である。
【図１０】図９の小売商品トレーの分解側面図である。
【図１１】図９の小売商品トレーの仕切りアセンブリの部分斜視図であって、仕切りアセンブリの仕切り壁とバッフルプレート延長部との間の摺動可能な接続を示す図である。
【図１２】図１１に示された仕切りアセンブリの部分斜視図であって、小売商品トレーのバッフルプレート延長部とスペーサとの間の摺動可能な接続を示す図である。
【図１３】バッフルプレート延長部とスペーサとの間の摺動可能な接続の領域の断面斜視図である。
【図１４】本明細書の教示による小売商品トレーの別の実施形態の斜視図である。
【図１５】図１４の小売商品トレーの、マウントプレートの形態の棚マウント構成の部分斜視図である。
【図１６】図１５のマウントプレートの分解斜視図である。
【図１７】図１４の小売商品トレーの部分側面図であって、小売商品トレーを棚にマウントするマウントプレートを示す図である。
【図１８】小売商品トレーの棚マウント構成の別の実施形態の斜視図であって、少なくとも１つのマウントタブを受けるマウントレールに、図１４に示されたような小売商品トレーが複数個マウントされている様子を示す図である。
【図１９】図１８の小売商品トレーの１つがマウントレールから切り離されて、マウントレールの隣接する歯の間で受けられた小売商品トレーの少なくとも１つのマウントタブが露出している様子を示す分解斜視図である。
【図２０】折り畳み可能な前面ストッパを利用する、図１の小売商品トレーの斜視図であって、折り畳み可能な前面ストッパが稼働時の位置にある様子を示す図である。
【図２１】図２０の小売商品トレーの斜視図であって、折り畳み可能な前面ストッパが稼働時の位置から装填時の位置に移行する様子を示す図である。
【図２２】図２０〜２１に示された折り畳み可能な前面ストッパの部分斜視図である。
【図２３】仕切り壁アセンブリの一代替実施形態を利用する、図１の小売商品トレーの斜視図である。
【発明を実施するための形態】
【００３５】
ここで図面を参照すると、小売商品トレーの様々な実施形態が図示されている。本明細書の教示による小売商品トレー（以下では「トレー」と呼ぶ）は、組立時間の短縮及び組立コストの低減という利点があり、これは、ある程度は、その様々な構成要素を溶接せずに相互接続することによるものである。更に、本明細書の教示によるトレーは、バッフルプレートの新しく改良された方法論を提供しており、従来の方法論では、トレーの下に別個のプレートを専用の独立したマウントで取り付けることが必要であった。更には、本明細書の教示によるトレーは、トレーが小売棚に直接マウントされる、新しく改良された棚マウント構成を提供する。これら及び他の利点については、以下の詳細説明によって理解されよう。
【００３６】
まず図１を参照すると、トレー１００が図示されており、これは耐荷重部材１０２のペアを有する。耐荷重部材１０２は両方とも同じなので、一方についての説明が他方にも等しく当てはまる。トレー１００の第１の端部１１４において耐荷重部材に前面ストッパ１０４が接続されている。前面ストッパ１０４は、価格チャネル突出部、フェースプレート等のような一体式又は取付式の追加構造物を含んでよい。
【００３７】
ワイヤ支持フレーム１１０（図２を参照）が、トレー１００の第２の端部１１６に隣接する耐荷重部材に取り外し可能に取り付けられている。このワイヤ支持フレームは、第１の端部１１４に隣接する前面ストッパ１０４にも取り外し可能に取り付けられている。言い換えると、ワイヤ支持フレームは、対向する第１及び第２の端部を有し、これらはそれぞれ、トレー１００の第１及び第２の端部１１４、１１６に隣接している。
【００３８】
ワイヤ支持フレーム１１０の第１の端部は、前面ストッパ１０４に取り外し可能に取り付けられており、一方、第２の端部は、耐荷重部材１０２に取り外し可能に取り付けられている。本明細書では「取り外し可能に取り付けられた」という語句は、取り付けが容易に非破壊的に解除されることが可能であって、その後も同様に取り付けと取り付け解除とが繰り返し可能であることを意味する。この意味では、「取り外し可能に取り付けられた」は、取り付けを解除するには構成要素の破壊又は損壊を必要とする溶接、共成形、又は他の永続的な取付形式を包含しない。
【００３９】
プッシャ１０６がワイヤ支持構造１１０にマウントされ、ワイヤ支持構造１１０上を１２０、１２２の方向に摺動可能である。プッシャ１０６は、ワイヤ支持構造１１０及び耐荷重部材１０２の上に載せられた１つ以上の小売商品列をトレー１００の第２の端部１１６からトレー１００の第１の端部１１４まで付勢するように動作可能である。図１をよく見ると分かるように、プッシャ１０６は、その全体重量の軽減の為にハニカム構造を採用してよい。後述のように、プッシャ１０６は、コイルばね又は他の付勢要素の力で付勢される。
【００４０】
トレー１００の両サイドに可動仕切りアセンブリ１０８のペアが配置されている。仕切りアセンブリ１０８は、仕切りアセンブリ１０８間の幅又は距離を調整する為に１２４、１２６の方向に可動である。このような横方向の調節により、様々な幅の小売商品に対応することが可能になる。後述のように、仕切りアセンブリ１０８は、それらの仕切り壁とワイヤ支持物との間の取り付けが取り外し可能になっている。これにより、有利なことに、仕切り壁の接続に弾性接続又は「スナップ」接続を用いることが可能になる。結果として、仕切り壁自体には軽量の材料を利用し、ワイヤ支持物にはよりロバストな材料を利用することが可能である。
【００４１】
図１から更に分かるように、各耐荷重部材１０２は、冷蔵ケース又は他の小売商品陳列において典型的に見られるタイプの小売商品バーを受けるようにサイズが決められた切り欠き１１８を含む。これにより、トレー１００のカンチレバマウントが可能になる。
【００４２】
次に図２を参照すると、仕切り１００の分解図が示されている。この図から分かるように、トレー１００は更に、スペーサ１１２を含み、スペーサ１１２は、一方では耐荷重部材１０２間の横方向の間隔を確保する為に使用され、他方では後述のように仕切りアセンブリ１０８のワイヤ支持物を受ける為に使用される。スペーサ１１２は両方とも同じなので、一方についての説明が他方にも等しく当てはまる。これらのスペーサは、プラスチック等のような軽量の材料で形成されてよく、スペーサ１１２が耐荷重部材１０２間に介在するように、スペーサ１１２のサイドエッジにおいて耐荷重部材１０２に取り付けられてよい。
【００４３】
図示されている２つの仕切りアセンブリ１０８は同じものである。従って、一方についての説明が他方にも等しく当てはまる。更に又、図示されている仕切りアセンブリ１０８は２つであるが、代替構成によっては、使用される仕切りアセンブリ１０８が１つだけであってよく、又、代替構成によっては、仕切りアセンブリ１０８が完全に省略されてよい。
【００４４】
仕切りアセンブリ１０８は、仕切り壁１３２と、仕切り壁１３２に取り外し可能に取り付けられたワイヤ支持物１３４のペアとを含む。各ワイヤ支持物１３４は、弾性「スナップ」方式の接続で仕切り壁１３２に接続されて、動作中に仕切り壁１３２を定位置に保持する。仕切り壁は更にフランジ１４８を含み、フランジ１４８は、ほぼ直立状態で図示されている仕切り壁の他の部分に対して垂直に延びている。このフランジ１４８は、耐荷重部材１０２を越えて横方向に延びる商品を支持することに利用されてよい。
【００４５】
各ワイヤ支持物１３４には、まっすぐな部分１３６と、まっすぐな部分１３６に対してほぼ直角である曲がった部分１３８とがある。曲がった部分１３８は、仕切り壁１３２に形成された、対応するスロット１４０で受けられる。各スロットには、まっすぐな部分１３６を受ける為の通路が形成されていて、それにより、まっすぐな部分１３６は、曲がった部分１３８がスロット１４０に達するまで、仕切り壁１３２を通り抜ける。この構成により、仕切りアセンブリ１０８が複数の材料で作られることが可能であり、ワイヤ支持物１３４は金属等の剛体材料で形成され、一方、仕切り壁１３２は、例えば、プラスチック等の軽量材料で形成されてよい。更に、プッシャ１０６がそうであったように、仕切り壁１３２も、その全体重量の軽減の為にハニカム構造を採用してよい。
【００４６】
更に図２を参照すると、ワイヤ支持構造１１０は、横方向部材１５４と、横方向部材１５４にほぼ垂直に延びる長手方向部材１５６のペアとを含む。その名前が示すように、ワイヤ支持構造１１０は金属ワイヤで形成されており、長手方向部材１５６は横方向部材１５４に溶接されている。図示されている長手方向部材１５６は２つであるが、使用される長手方向部材１５６の数は、トレー１００の全幅に応じて２より少なくても多くてもよい。
【００４７】
次に図３を参照すると、図２に示された最前面スペーサ１１２の断面が示されている。この図は、曲がった部分１３８がスロット１４０で受けられた状態を示している。更にこの図は、仕切り壁１３２のスロット１４０内に形成された通路１４４も示している。対応する通路１４２が各耐荷重部材１０２にも形成されており、通路１４２は仕切り壁１３２の通路１４４と位置合わせされている。この位置合わせにより、まっすぐな部分１３６は、仕切り壁１３２を通り抜け、耐荷重部材１０２を通り抜けて、スペーサ１１２の対応する通路１４６に入ることが可能になる。各スペーサ１１２は、図示されるように、互いに重なり合う通路１４６のペアを有する。スペーサ１１２は、図示されたような留め具、又は他の任意の機械的手段で耐荷重部材１０２に取り付けられる。
【００４８】
図４を参照すると、各スロット１４０は幾つかの弾性タブ１４８を含む。これらのタブはスロット１４０内に延びていて、曲がった部分１３８がスロット１４０に入ると、これらのタブは、弾性変形して元の位置から外れ、その後、図４に示されるように、元の位置に戻る。これにより、各ワイヤ支持物１３４が仕切り壁１３２に対して定位置に保持される。
【００４９】
次に図５を参照すると、図示されるように、前面ストッパ１０４が耐荷重部材１０２にマウントされている。具体的には、前面ストッパ１０４は、図示されるように、マウント部分１６０が直立部分１６２にほぼ垂直に延びている。このマウント部分では、横方向に延びるタブ１６４が、耐荷重部材１０２に形成された対応する開口スロット１６６で受けられる。これらのタブ１６４及びそれぞれに対応するスロット１６６は、互いに対して回転しないようにＵ字形になっている。これには、耐荷重部材１０２に対する前面ストッパ１０４の不要な回転を抑えるという利点がある。更に、マウント部分１６０では、同じ目的で、突起部１６８が対応するアパーチャ１７０で受けられてもよい。
【００５０】
マウント部分１６０は更に、ポケット１５８を含み、ポケット１５８内で、長手方向部材１５６の末端が受けられ、その下側から支持される。従って、ワイヤ支持構造１１０は、上述のように、両側で支持されている。
【００５１】
図６を参照すると、上述のように、プッシャ１０６はワイヤ支持構造１１０上を摺動することが可能である。この目的の為に、プッシャ１０６はワイヤ受け通路１７８を含み、長手方向部材１５６がこれを通り抜けて延びる。図６をよく見ると分かるように、プッシャ１０６は、ワイヤ構造１１０によって完全に支持されている。この結果、プッシャ１０６とトレー１００のその他の部分との接触が最小限になって、動きの引っかかり等の可能性が小さくなるか、なくなる。
【００５２】
更に、図７に示されるように、コイルばね１８０の非コイル状部分をフィードする為に、ばね開口部１８２がプッシャ１０６を貫通して形成されている。このコイルばね１８０はプッシャ１０６に寄りかかっており、その自由端が開口部１８０を通り抜けて、前面ストッパ１０４、又はトレー１００の他の任意の部分に接続されて、図１に示された第２の端部１１６から第１の端部１１４までプッシャ１０６を引っ張るのに十分な付勢力がプッシャ１０６にかけられている。
【００５３】
次に図８を参照すると、横方向部材１５４は、横方向部材１５４の両端部に隣接するキー１８４を含む。図８には、横方向部材１５４の一方の端部と、そのそれぞれのキー１８４が示されている。他方の端部にも同じ構成が存在する。これらのキーは、耐荷重部材１０２に形成されたキー溝１８６を通り抜けられるようなサイズで形成されている。
【００５４】
図示されるように、外側のキー１８４がキー溝１８６を通り抜けており、これによって、耐荷重部材１０２がキー１８４間に介在する。この構成により、耐荷重部材１０２に対するワイヤ支持フレーム１１０の横方向の位置決めが保持される。横方向部材１５４の各端部の内側キー１８４を省略して、外側キー１８４だけを使用することも可能であり、それによって、耐荷重部材１０２は、これらの外側キー１８４の間に介在する。
【００５５】
次に図９を参照すると、トレー１００の一代替実施形態がトレー２００の形態で示されている。この実施形態と上述のトレー１００の実施形態は、以下の顕著な違いを除けば同じである。従って、簡潔にする為に、上述されたものと同じ構造の重複する説明は省略する。
【００５６】
実際、トレー２００にも組み込まれている耐荷重部材２０２、前面ストッパ２０４、並びにプッシャ２０６及びスペーサ２１２は、図１〜８に関して上述された同じ構成要素と、形態及び機能が同じである。これに対し、仕切りアセンブリ２０８は構造が異なる。これらの仕切りアセンブリ２０８は両方とも同じなので、一方についての説明が他方にも等しく当てはまる。更に、この実施形態では、トレー２００の下側に沿ってバッフルプレート２２８も組み込まれている。
【００５７】
上述の２つの顕著な違いのうちの後者にまず注目すると、バッフルプレート２３８がトレー２００に取り外し可能に取り付けられている。具体的には、図１０を参照すると、バッフルプレート２３８は弾性クリップ２５０を含み、これは、図９を再度参照すると示されているように、スペーサ２１２を挟む。これにより、バッフルプレート２３８は、スナップ式でトレー２００に嵌め外しされることが可能である。当業者であれば理解されるように、既存のバッフルプレートは、典型的には、いかなるトレー等とも別個の構造であり、典型的には、それぞれが個別に、小売商品陳列の裏にマウントされることを必要とする。本発明では、有利なことに、バッフルプレート２３８が自己完結型であって、各トレー２００がバッフルプレート２３８に直接マウントされる。
【００５８】
これも当該技術分野においては概ね理解されているように、バッフルプレートは、冷蔵環境の高密度の冷気が冷蔵ケース等の最上部のトレーを急速に通り過ぎるのを防ぐ為に使用される。そのようなバッフルプレートは、典型的には、この冷気流を減速させて、上部トレーと下部トレーがほぼ同量の冷気に曝されるようにする。本発明においてこの原理が確実に実施されるように、仕切りアセンブリ２０８は更に、専用のバッフルプレート延長部を使用して、仕切りアセンブリ２０８が延長された場合に、トレー２００の幅いっぱいに連続的なバッフルプレート面が現れるようにする。この構成は、トレー２００を通り過ぎる望ましくない冷気流を減速させるか阻止することが同じく有利であるが、上述のようにバッフル構成が自己完結型であることが有利である。
【００５９】
この目的の為に、次に図１１を参照すると、各仕切りアセンブリ２０８においては、上述されたものと同様に、仕切り壁２３２がワイヤ支持物２３４に取り付けられている。しかしながら、仕切りアセンブリは更に、バッフルプレート延長部２３０を含む。バッフルプレート延長部２３０と仕切り壁２３２のフランジ２４８との間には、摺動可能な接続が形成される。この摺動可能な接続は、フランジ２４８上のタブ２７２が下向きに延びて、バッフルプレート延長部に形成された対応するスロット２７４に入る形態である。結果として、フランジ２４８及びバッフルプレート延長部２３０は、図示されるように、連続的なバッフルプレート面を形成する。
【００６０】
次に図１２を参照すると、バッフルプレート延長部は、やはり摺動可能な接続でスペーサ２１２に接続されている。その結果、仕切り壁２３２がトレー２００から離れるように引っ張られると、タブ２７２がスロット２７４内を摺動して、最終的には図１１に示された位置に到達する。その後も、仕切り壁２３２がトレー２００から離れるように横方向に動き続けると、バッフルプレート延長部２３０がスペーサ２１２に沿って摺動して、バッフルプレート延長部２３０が、やはり図１１に示された位置まで、横方向外向きに動くことが可能になる。
【００６１】
更に図１２を参照すると、この、スペーサ２１２に対するバッフルプレート延長部２３０の摺動可能な接続は、摺動可能クリップ２７６によって形成される。これらのクリップ２７６は丸み部分２７８を含み、これは、対応する、スペーサ２１２の丸み部分の周囲を部分的に挟む。従って、バッフルプレート延長部は、スペーサ２１２に固定されるが、スペーサ２１２に沿って摺動可能である。
【００６２】
次に図１３を参照すると、各バッフルプレート延長部２３０の横方向外向きの動きは、バッフルプレート延長部２３０の支持部分２９０からほぼ垂直に延びる、バッフルプレート延長部２３０の下向きに延びる延長部分２８８が、図示されるように耐荷重部材２０２に当たるまで続く。
【００６３】
図１４を参照すると、トレー１００とほぼ同じであるトレー３００が示されており、相違点は、トレー３００が、別設計の耐荷重部材３０２と、トレー３００を小売棚の表面に直接設置する棚マウント構成とを利用することである。これらの特徴のそれぞれについて、次に説明する。
【００６４】
上述のように、トレー３００のその他の部分は既述のトレー１００と同じである為、簡潔にする為に、同じ特徴についての重複する詳細説明は省略する。実際、トレー３００も、前面ストッパ３０４、プッシャ３０６、仕切りアセンブリ３０８、ワイヤ支持構造３１０、及びスペーサ３１２（図１５を参照）のペアを含み、これらはそれぞれ、トレー１００に関して上述された対応する構造と同じである。
【００６５】
但し、耐荷重部材３０２は、図１に示された切り欠き１１８のような切り欠きをもはや利用しない。その代わりに、耐荷重部材３０２は、棚に直接載せられるように底面がほぼ平らである。前述のように、トレー３００には更に、トレー３００を小売棚上に固定する為の棚マウント構成が組み込まれている。
【００６６】
そのような棚マウント構成の一実施形態を図１５に示す。この実施形態はマウントプレート３９２を含み、これは、トレー３００の最前面スペーサ３１２を挟む。マウントプレート３９２は延長部３９４のペアを含み、これらは、一般的なフック形状であり、小売棚に形成されたアパーチャ内に延びるように構成されている。
【００６７】
図１６を参照すると、マウントプレート３９２はクリップ３９６を使用しており、クリップ３９６は、マウントプレート３９２をスペーサ３１２に取り外し可能に取り付けることに関して上述されたクリップとよく似ている。
２つの延長部３９４が図示されているが、使用可能な延長部はこれより少なくても多くてもよい。
図１７は、トレー３００が棚３９８にマウントされた様子を示す。この図から分かるように、延長部３９４は、棚のアパーチャを貫通して延びることにより、トレー３００を棚３９８に固定する。
【００６８】
図１８は、棚マウント構成の別の実施形態を示す。この実施形態では、複数のトレー３００がマウントレール５００にマウントされており、そのマウントレール５００は棚３９８に直接マウントされている。後述のように、各トレー３００は、マウントレール５００に嵌め込まれることによって棚３９８に固定される。２つのトレー３００が図示されているが、マウントレール５００は、３つ以上のトレー３００に対応する任意の長さであってよい。
【００６９】
図１９は、トレー３００の１つがマウントレール５００から外れている様子を示す。この図から分かるように、マウントレール５００は複数の歯５０２を含み、隣接する各歯セットの間にスペースが形成されている。これらのスペース５０４は、前面ストッパ３０４に形成されたタブ５０６を受けるように構成されている。図示された実施形態では２つのタブ５０６が使用されているが、使用されるタブ５０６はこれより少なくても多くてもよい。各タブ５０６の幅は、各タブ５０６が各スペース５０４にきつく嵌め込まれるような幅である。結果として、トレー３００は、マウントレール５００に取り外し可能に取り付けられることが可能である。
【００７０】
図２０は、図１〜８のトレー１００が前面ストッパの別の実施形態６０４を利用している様子を示す。この前面ストッパ６０４は、図２０に示された稼働時の位置から、図２１に示された装填時の位置に折り畳まれることが可能である。図２１から分かるように、装填時の位置では、前面ストッパ６０４がほぼ平らな状態まで回転することにより、トレー１００の第１の端部１１４（図１を参照）からトレー１００に小売商品を装填することが可能になる。このことは、前面ストッパを折り畳めない他の設計に対して著しく有利である。これは、そのような折り畳めない設計では、商品は、通常、トレーの後部から装填される為、即ち、折り畳めない前面ストッパが装填の邪魔になって、前部から装填するのが困難である為である。
【００７１】
図２２は、前面ストッパ６０４の背面を示す。前面ストッパ６０４は、マウント部分６６０及び直立部分６６２を含む。但し、前面ストッパ１０４と異なり、これらの部分６６０、６６２は一体成形されていない。マウント部分６６０は、直立部分６６２とは一体ではなく別個であり、これらの構成要素の間にヒンジが形成されている。実際には、ヒンジピン７０４がマウント部分６６０を貫通して延びて、直立部分６６２のヒンジラグ７０８で受けられている。直立部分６６２は、ヒンジピン７０４を中心に、マウント部分６６０に対して回転することが可能である。ヒンジピン７０４には更にばね７０６が関連付けられており、ばね７０６は、直立部分６６２を直立位置に保つ為に、直立部分６６２に対して付勢力をかける。この付勢力より強い力で直立部分６６２の前面を押すことにより、直立部分６６２を、ヒンジピン７０４を中心に回転させることが可能である。この構成には、トレー１００に短時間で装填できるという利点がある。なお、前面ストッパ６０４は、トレー１００とともに図示されているが、本明細書に記載のどのトレーでも利用されてよい。
【００７２】
図２３は、トレーの別の実施形態８００を示す。このトレーは、耐荷重部材８０２のペア、前面ストッパ８０４、プッシャ８０６、ワイヤ支持構造８１０、及び仕切りアセンブリ８０８を含むという点では、上述の各トレイと同じである。トレー８００と上述の各トレイとの大きな違いは、トレー８００が仕切りアセンブリ８０８を１つだけ利用する点である。この仕切りアセンブリ８０８は、図示されるように仕切り壁８３２がワイヤ支持物８３４に取り外し可能に取り付けられる点では、上述の各トレイとほぼ同じである。
【００７３】
しかしながら、使用される仕切りアセンブリ８０８が１つだけである為に、仕切りアセンブリ８０８は、同様に仕切りが１つしかない隣接トレー（図示せず）と共用されるように構成されている。言い換えると、仕切り壁８３２は、隣接する２つのトレー８００の間で共用される。この目的の為に、仕切り壁８３２のフランジ８４８がその両側に延びている。これにより、仕切り壁８３２は、図示されているトレー８００の商品だけでなく、隣接するトレー８００（図示せず）の商品も支持することが可能になる。更に、図示されていないが、この単一仕切り壁は、トレー２００に関して上述されたような２つのバッフルプレート延長部に接続されてよいことも想定できる。そのような構成では、フランジ８４８は、バッフルプレート延長部との摺動可能な接続を実現する為に、上述されたようなタブも含むことになる。より一般的には、この単一仕切りアセンブリ構成は、本明細書に記載のどのトレーにも使用されてよい。
【００７４】
ここまで述べてきたように、本明細書の教示によるトレーは、既存の構成に対して様々な利点を提供し、それらの例をほんの幾つか挙げると、組立工程の労働強度が軽減及び低減されること、一体型バッフルプレート構成により、トレーの仕切り壁の動きに容易に適応できること、棚マウント構成が直観的であること、前面ストッパ構成が折り畳み可能であること、単一仕切りアセンブリ構成をトレー間で共用できること等がある。
【００７５】
本明細書で引用された、公表文献、特許出願、及び特許を含む文献は全て、各文献が、個々に具体的に示される形で参照によって本明細書に組み込まれ、且つ、完全な形で本明細書に明記されているのと同程度に、参照により本明細書に組み込まれている。
【００７６】
本発明を説明する文脈における（特に、以下の特許請求の範囲の文脈における）「ａ」、「ａｎ」、及び「ｔｈｅ」の各語句、並びに同様の指示語の使用は、本明細書中で特に指摘したり、明らかに文脈と矛盾したりしない限り、単数及び複数の両方を包含するものとして解釈されるべきである。「含む（ｃｏｍｐｒｉｓｉｎｇ）」、「有する（ｈａｖｉｎｇ）」、「含む（ｉｎｃｌｕｄｉｎｇ）」、及び「包含する（ｃｏｎｔａｉｎｉｎｇ）」の各語句は、特に断らない限り、オープンエンドターム（即ち、「〜を含むが、これに限定されない」という意味）として解釈されるべきである。本明細書中の数値範囲の具陳は、本明細書中で特に指摘しない限り、単にその範囲内に該当する各値を個々に参照する為の略記法としての役割を果たすことのみを意図しており、各値は、本明細書中で個々に列挙されたかのように、本明細書に組み込まれている。本明細書中で説明される全ての方法は、本明細書中で特に指摘されたり、明らかに文脈と矛盾したりしない限り、任意の好適な順序で実施されてよい。本明細書中で与えられるあらゆる例、又は例示的言い回し（例えば、「など（ｓｕｃｈ  ａｓ）」）は、特に主張されない限り、単に本発明をより明らかにすることだけを意図したものであり、本発明の範囲を限定するものではない。本明細書中の如何なる言い回しも、特許請求されていない任意の要素を、本発明の実施に不可欠であるように示すものとして解釈されてはならない。
【００７７】
本明細書においては、本発明を実施する為の、本発明者らが知っている最良の形態を含む、本発明の好ましい実施形態が説明されている。当業者であれば、前述の説明を読むことにより、これらの好ましい実施形態の変形形態が明らかになるであろう。本発明者らは、当業者がそのような変形形態を適宜採用することを想定しており、本明細書において具体的に説明されたもの以外の方法で本発明が実施されることを企図している。従って、本発明は、準拠法によって許可されているとおり、本明細書に添付された特許請求の範囲に記載されている内容のあらゆる修正及び均等物を包含する。更に、本明細書中で特に指摘したり、明らかに文脈と矛盾したりしない限り、好ましい実施形態のあらゆる可能な変形形態における上述の要素のあらゆる組み合わせが本発明に包含される。
【図１】
2021504094.tif 000003
【図２】
2021504094.tif 000004
【図３】
2021504094.tif 000005
【図４】
2021504094.tif 000006
【図５】
2021504094.tif 000007
【図６】
2021504094.tif 000008
【図７】
2021504094.tif 000009
【図８】
2021504094.tif 000010
【図９】
2021504094.tif 000011
【図１０】
2021504094.tif 000012
【図１１】
2021504094.tif 000013
【図１２】
2021504094.tif 000014
【図１３】
2021504094.tif 000015
【図１４】
2021504094.tif 000016
【図１５】
2021504094.tif 000017
【図１６】
2021504094.tif 000018
【図１７】
2021504094.tif 000019
【図１８】
2021504094.tif 000020
【図１９】
2021504094.tif 000021
【図２０】
2021504094.tif 000022
【図２１】
2021504094.tif 000023
【図２２】
2021504094.tif 000024
【図２３】
2021504094.tif 000025
【手続補正書】
【提出日】令和2年8月27日(2020.8.27)
【手続補正１】
【補正対象書類名】特許請求の範囲
【補正対象項目名】全文
【補正方法】変更
【補正の内容】
【特許請求の範囲】
【請求項１】
対向する耐荷重部材のペアと、
前記耐荷重部材ペアにマウントされた前面ストッパと、
対向する第１及び第２の端部を有するワイヤ支持構造であって、前記ワイヤ支持構造は、前記第１の端部において前記前面ストッパに取り外し可能に取り付けられており、前記第２の端部において前記耐荷重部材ペアに取り外し可能に取り付けられている、前記ワイヤ支持構造と、
前記ワイヤ支持構造にマウントされたプッシャであって、前記プッシャは、前記ワイヤ支持構造に沿って、第１の軸の方向に前記前面ストッパに向かったり、前記前面ストッパから離れたりするように動くことが可能である、前記プッシャと、
前記対向する耐荷重部材のペアに対して、前記第１の軸に垂直な第２の軸の方向に動くことが可能な少なくとも１つの仕切りアセンブリと、
前記第１の軸に沿って整列しており、前記耐荷重部材ペアの間に介在し、前記ワイヤ支持フレームの下に位置する、スペーサのペアと、
を含む小売商品トレー。
【請求項２】
前記ワイヤ支持構造は、横方向要素と、前記横方向要素から延びる少なくとも１つの長手方向要素とを含み、前記横方向要素は、対向する端部のペアを含み、前記対向する端部の各端部に隣接してキーが形成されており、各キーは、それぞれ、前記耐荷重部材ペアの各耐荷重部材に形成されたキー溝を通り抜けるように配置されており、それによって、前記耐荷重部材ペアは前記横方向部材の各端部に形成された前記キーの間に介在する、請求項１に記載の小売商品トレー。
【請求項３】
対向する耐荷重部材のペアと、
前記耐荷重部材ペアにマウントされた前面ストッパと、
横方向要素と、前記横方向要素から延びる少なくとも１つの長手方向要素とを含むワイヤ支持構造であって、前記少なくとも１つの長手方向要素は、前記耐荷重部材ペアに平行に延びており、前記耐荷重部材ペアの間に介在する、前記ワイヤ支持構造と、
前記ワイヤ支持構造にマウントされたプッシャであって、前記プッシャは、前記ワイヤ支持構造に沿って、第１の軸の方向に前記前面ストッパに向かったり、前記前面ストッパから離れたりするように動くことが可能である、前記プッシャと、
前記対向する耐荷重部材のペアに対して、前記第１の軸に垂直な第２の軸の方向に動くことが可能な少なくとも１つの仕切りアセンブリであって、前記少なくとも１つの仕切りは、仕切り壁と、ワイヤ支持物のペアとを含み、前記ワイヤ支持物ペアは弾性接続によって前記仕切りに取り外し可能に取り付けられている、前記少なくとも１つの仕切りアセンブリと、
前記第１の軸に沿って整列しており、前記耐荷重部材ペアの間に介在し、前記ワイヤ支持フレームの下に位置するスペーサのペアであって、前記少なくとも１つの仕切りの前記ワイヤ支持物を受ける前記スペーサペアと、
を含む小売商品トレー。
【請求項４】
前記ワイヤ支持構造は、対向する第１及び第２の端部を有し、前記ワイヤ支持構造は、前記第１の端部において前記前面ストッパに取り外し可能に取り付けられており、前記第２の端部において前記耐荷重部材ペアに取り外し可能に取り付けられている、請求項３に記載の小売商品トレー。
【請求項５】
前記横方向要素は、対向する端部のペアを含み、前記対向する端部の各端部に隣接してキーが形成されており、各キーは、それぞれ、前記耐荷重部材ペアの各耐荷重部材に形成されたキー溝を通り抜けるように配置されており、それによって、前記耐荷重部材ペアは前記横方向部材の各端部に形成された前記キーの間に介在する、請求項３に記載の小売商品トレー。
【請求項６】
対向する耐荷重部材のペアと、
前記耐荷重部材ペアにマウントされた前面ストッパと、
ワイヤ支持構造であって、前記ワイヤ支持構造は、横方向要素と、前記横方向要素から延びる少なくとも１つの長手方向要素とを含み、前記横方向要素は、対向する端部のペアを含み、前記対向する端部の各端部に隣接してキーが形成されており、各キーは、それぞれ、前記耐荷重部材ペアの各耐荷重部材に形成されたキー溝を通り抜けるように配置されており、それによって、前記耐荷重部材ペアは前記横方向部材の各端部に形成された前記キーの間に介在する、前記ワイヤ支持構造と、
前記ワイヤ支持構造にマウントされたプッシャであって、前記プッシャは、前記ワイヤ支持構造に沿って、第１の軸の方向に前記前面ストッパに向かったり、前記前面ストッパから離れたりするように動くことが可能である、前記プッシャと、
前記対向する耐荷重部材のペアに対して、前記第１の軸に垂直な第２の軸の方向に動くことが可能な少なくとも１つの仕切りアセンブリと、
前記第１の軸に沿って整列しており、前記耐荷重部材ペアの間に介在し、前記ワイヤ支持フレームの下に位置するスペーサのペアと、
を含む小売商品トレー。
【請求項７】
前記少なくとも１つの仕切りアセンブリは仕切りアセンブリのペアを含み、前記仕切りアセンブリペアは、前記第２の軸の周囲を動くことが可能であり、前記耐荷重部材ペアが前記仕切りアセンブリペアの間に介在するように前記仕切りアセンブリペアが配列されている、請求項１、３、４、又は６に記載の小売商品トレー。
【請求項８】
前記ワイヤ支持構造は、対向する第１及び第２の端部を有し、前記ワイヤ支持構造は、前記第１の端部において前記前面ストッパに取り外し可能に取り付けられており、前記第２の端部において前記耐荷重部材ペアに取り外し可能に取り付けられている、請求項６に記載の小売商品トレー。
【請求項９】
前記少なくとも１つの仕切りアセンブリは、仕切り壁を含み、前記仕切り壁は、対向する側面を有する直立部分を含み、前記対向する側面の少なくとも一方からフランジが前記直立部分に垂直に延びている、請求項１、３、４、６、又は８に記載の小売商品トレー。
【請求項１０】
前記少なくとも１つの仕切りアセンブリは、摺動可能な接続によって前記少なくとも一方のフランジに接続されたバッフルプレート延長部を含み、前記バッフルプレート延長部は、前記スペーサペアに対して摺動可能であるように、且つ、前記仕切り壁に対して摺動可能であるように、摺動可能な接続によって前記スペーサペアの各スペーサにマウントされている、請求項９に記載の小売商品トレー。
【請求項１１】
前記バッフルプレート延長部と前記少なくとも一方のフランジとの間の前記摺動可能な接続は、前記フランジから下向きに延びるタブと、前記バッフルプレート延長部に形成されて、前記タブを受けるスロットと、を含み、前記バッフルプレート延長部と前記スペーサペアとの間の前記摺動可能な接続は、前記バッフルプレート延長部上に形成されたクリップのペアを含み、前記クリップペアの一方のクリップは、前記スペーサペアの一方のスペーサに接続され、前記クリップペアの他方のクリップは、前記スペーサペアの他方のスペーサに接続される、請求項１０に記載の小売商品トレー。
【請求項１２】
前記スペーサペアに接続されたバッフルプレートを更に含み、前記バッフルプレートはクリップのペアを含み、前記クリップペアの一方のクリップは、前記スペーサペアの一方のスペーサに接続され、前記クリップペアの他方のクリップは、前記スペーサペアの他方のスペーサに接続される、請求項１１に記載の小売商品トレー。
【請求項１３】
前記小売商品トレーを棚にマウントする棚マウント構成を更に含み、前記棚マウント構成は、
前記スペーサペアの一方に取り外し可能に取り付けられたマウントプレートであって、前記トレーを前記棚に固定する為に前記棚のアパーチャ内に延びるように構成された延長部を有する前記マウントプレート、又は
前記小売棚及び少なくとも１つのマウントタブにマウントされるように構成されたマウントレールであって、前記少なくとも１つのマウントタブを隣接する歯の間のスペースで受けるように間隔を空けて配置された複数の歯を含み、前記少なくとも１つのマウントタブが前記前面ストッパ上に形成されている、前記マウントレール
のいずれかを含む、請求項１、６、又は１２のいずれか一項に記載の小売商品トレー。
【請求項１４】
前記前面ストッパはマウント部分及び直立部分を含み、前記マウント部分は、剛体の１ピースの構成要素として前記直立部分と一体成形されているか、前記直立部分とは別個のピースとして成形されているか、のいずれかであり、前記直立部分と前記マウント部分との間にヒンジが形成されて、前記直立部分が前記ヒンジを中心に前記マウント部分に対して回転することが可能になっている、請求項１又は１３に記載の小売商品トレー。
【請求項１５】
前記少なくとも１つの仕切りアセンブリは、仕切り壁と、ワイヤ支持物のペアとを含み、前記ワイヤ支持物ペアは、弾性接続によって、前記仕切りに取り外し可能に取り付けられている、請求項１又は６に記載の小売商品トレー。
【手続補正２】
【補正対象書類名】明細書
【補正対象項目名】００７７
【補正方法】変更
【補正の内容】
【００７７】
本明細書においては、本発明を実施する為の、本発明者らが知っている最良の形態を含む、本発明の好ましい実施形態が説明されている。当業者であれば、前述の説明を読むことにより、これらの好ましい実施形態の変形形態が明らかになるであろう。本発明者らは、当業者がそのような変形形態を適宜採用することを想定しており、本明細書において具体的に説明されたもの以外の方法で本発明が実施されることを企図している。従って、本発明は、準拠法によって許可されているとおり、本明細書に添付された特許請求の範囲に記載されている内容のあらゆる修正及び均等物を包含する。更に、本明細書中で特に指摘したり、明らかに文脈と矛盾したりしない限り、好ましい実施形態のあらゆる可能な変形形態における上述の要素のあらゆる組み合わせが本発明に包含される。
〔付記１〕
対向する耐荷重部材のペアと、
前記耐荷重部材ペアにマウントされた前面ストッパと、
対向する第１及び第２の端部を有するワイヤ支持構造であって、前記ワイヤ支持構造は、前記第１の端部において前記前面ストッパに取り外し可能に取り付けられており、前記第２の端部において前記耐荷重部材ペアに取り外し可能に取り付けられている、前記ワイヤ支持構造と、
前記ワイヤ支持構造にマウントされたプッシャであって、前記プッシャは、前記ワイヤ支持構造に沿って、第１の軸の方向に前記前面ストッパに向かったり、前記前面ストッパから離れたりするように動くことが可能である、前記プッシャと、
前記対向する耐荷重部材のペアに対して、前記第１の軸に垂直な第２の軸の方向に動くことが可能な少なくとも１つの仕切りアセンブリと、
前記第１の軸に沿って整列しており、前記耐荷重部材ペアの間に介在し、前記ワイヤ支持フレームの下に位置する、スペーサのペアと、
を含む小売商品トレー。
〔付記２〕
前記少なくとも１つの仕切りアセンブリは仕切りアセンブリのペアを含み、前記仕切りアセンブリペアは、前記第２の軸の周囲を動くことが可能であり、前記耐荷重部材ペアが前記仕切りアセンブリペアの間に介在するように前記仕切りアセンブリペアが配列されている、付記１に記載の小売商品トレー。
〔付記３〕
前記少なくとも１つの仕切りアセンブリは、仕切り壁と、ワイヤ支持物のペアとを含み、前記ワイヤ支持物ペアは、弾性接続によって、前記仕切りに取り外し可能に取り付けられている、付記１に記載の小売商品トレー。
〔付記４〕
前記仕切り壁は、対向する側面を有する直立部分を含み、前記対向する側面の少なくとも一方からフランジが前記直立部分に垂直に延びている、付記３に記載の小売商品トレー。
〔付記５〕
前記少なくとも１つの仕切りアセンブリは、摺動可能な接続によって前記少なくとも一方のフランジに接続されたバッフルプレート延長部を含み、前記バッフルプレート延長部は、前記スペーサペアに対して摺動可能であるように、且つ、前記仕切り壁に対して摺動可能であるように、摺動可能な接続によって前記スペーサペアの各スペーサにマウントされている、付記４に記載の小売商品トレー。
〔付記６〕
前記バッフルプレート延長部と前記少なくとも一方のフランジとの間の前記摺動可能な接続は、前記フランジから下向きに延びるタブと、前記バッフルプレート延長部に形成されて、前記タブを受けるスロットと、を含み、前記バッフルプレート延長部と前記スペーサペアとの間の前記摺動可能な接続は、前記バッフルプレート延長部上に形成されたクリップのペアを含み、前記クリップペアの一方のクリップは、前記スペーサペアの一方のスペーサに接続され、前記クリップペアの他方のクリップは、前記スペーサペアの他方のスペーサに接続される、付記５に記載の小売商品トレー。
〔付記７〕
前記スペーサペアに接続されたバッフルプレートを更に含み、前記バッフルプレートはクリップのペアを含み、前記クリップペアの一方のクリップは、前記スペーサペアの一方のスペーサに接続され、前記クリップペアの他方のクリップは、前記スペーサペアの他方のスペーサに接続される、付記１に記載の小売商品トレー。
〔付記８〕
前記小売商品トレーを棚にマウントする棚マウント構成を更に含み、前記棚マウント構成は、
前記スペーサペアの一方に取り外し可能に取り付けられたマウントプレートであって、前記トレーを前記棚に固定する為に前記棚のアパーチャ内に延びるように構成された延長部を有する前記マウントプレート、又は
前記小売棚及び少なくとも１つのマウントタブにマウントされるように構成されたマウントレールであって、前記少なくとも１つのマウントタブを隣接する歯の間のスペースで受けるように間隔を空けて配置された複数の歯を含み、前記少なくとも１つのマウントタブが前記前面ストッパ上に形成されている、前記マウントレール
のいずれかを含む、付記１に記載の小売商品トレー。
〔付記９〕
前記前面ストッパはマウント部分及び直立部分を含み、前記マウント部分は、剛体の１ピースの構成要素として前記直立部分と一体成形されているか、前記直立部分とは別個のピースとして成形されているか、のいずれかであり、前記直立部分と前記マウント部分との間にヒンジが形成されて、前記直立部分が前記ヒンジを中心に前記マウント部分に対して回転することが可能になっている、付記１に記載の小売商品トレー。
〔付記１０〕
前記ワイヤ支持構造は、横方向要素と、前記横方向要素から延びる少なくとも１つの長手方向要素とを含み、前記横方向要素は、対向する端部のペアを含み、前記対向する端部の各端部に隣接してキーが形成されており、各キーは、それぞれ、前記耐荷重部材ペアの各耐荷重部材に形成されたキー溝を通り抜けるように配置されており、それによって、前記耐荷重部材ペアは前記横方向部材の各端部に形成された前記キーの間に介在する、付記１０に記載の小売商品トレー。
〔付記１１〕
対向する耐荷重部材のペアと、
前記耐荷重部材ペアにマウントされた前面ストッパと、
横方向要素と、前記横方向要素から延びる少なくとも１つの長手方向要素とを含むワイヤ支持構造であって、前記少なくとも１つの長手方向要素は、前記耐荷重部材ペアに平行に延びており、前記耐荷重部材ペアの間に介在する、前記ワイヤ支持構造と、
前記ワイヤ支持構造にマウントされたプッシャであって、前記プッシャは、前記ワイヤ支持構造に沿って、第１の軸の方向に前記前面ストッパに向かったり、前記前面ストッパから離れたりするように動くことが可能である、前記プッシャと、
前記対向する耐荷重部材のペアに対して、前記第１の軸に垂直な第２の軸の方向に動くことが可能な少なくとも１つの仕切りアセンブリであって、前記少なくとも１つの仕切りは、仕切り壁と、ワイヤ支持物のペアとを含み、前記ワイヤ支持物ペアは弾性接続によって前記仕切りに取り外し可能に取り付けられている、前記少なくとも１つの仕切りアセンブリと、
前記第１の軸に沿って整列しており、前記耐荷重部材ペアの間に介在し、前記ワイヤ支持フレームの下に位置するスペーサのペアであって、前記少なくとも１つの仕切りの前記ワイヤ支持物を受ける前記スペーサペアと、
を含む小売商品トレー。
〔付記１２〕
前記少なくとも１つの仕切りアセンブリは仕切りアセンブリのペアを含み、前記仕切りアセンブリペアは、前記第２の軸の周囲を動くことが可能であり、前記耐荷重部材ペアが前記仕切りアセンブリペアの間に介在するように前記仕切りアセンブリペアが配列されている、付記１１に記載の小売商品トレー。
〔付記１３〕
前記ワイヤ支持構造は、対向する第１及び第２の端部を有し、前記ワイヤ支持構造は、前記第１の端部において前記前面ストッパに取り外し可能に取り付けられており、前記第２の端部において前記耐荷重部材ペアに取り外し可能に取り付けられている、付記１１に記載の小売商品トレー。
〔付記１４〕
前記仕切り壁は、対向する側面を有する直立部分を含み、前記対向する側面の少なくとも一方からフランジが前記直立部分に垂直に延びている、付記１３に記載の小売商品トレー。
〔付記１５〕
前記少なくとも１つの仕切りアセンブリは、摺動可能な接続によって前記少なくとも一方のフランジに接続されたバッフルプレート延長部を含み、前記バッフルプレート延長部は、前記スペーサペアに対して摺動可能であるように、且つ、前記仕切り壁に対して摺動可能であるように、摺動可能な接続によって前記スペーサペアの各スペーサにマウントされている、付記１４に記載の小売商品トレー。
〔付記１６〕
前記バッフルプレート延長部と前記少なくとも一方のフランジとの間の前記摺動可能な接続は、前記フランジから下向きに延びるタブと、前記バッフルプレート延長部に形成されて、前記タブを受けるスロットと、を含み、前記バッフルプレート延長部と前記スペーサペアとの間の前記摺動可能な接続は、前記バッフルプレート延長部上に形成されたクリップのペアを含み、前記クリップペアの一方のクリップは、前記スペーサペアの一方のスペーサに接続され、前記クリップペアの他方のクリップは、前記スペーサペアの他方のスペーサに接続される、付記１５に記載の小売商品トレー。
〔付記１７〕
前記スペーサペアに接続されたバッフルプレートを更に含み、前記バッフルプレートはクリップのペアを含み、前記クリップペアの一方のクリップは、前記スペーサペアの一方のスペーサに接続され、前記クリップペアの他方のクリップは、前記スペーサペアの他方のスペーサに接続される、付記１６に記載の小売商品トレー。
〔付記１８〕
前記小売商品トレーを棚にマウントする棚マウント構成を更に含み、前記棚マウント構成は、
前記スペーサペアの一方に取り外し可能に取り付けられたマウントプレートであって、前記トレーを前記棚に固定する為に前記棚のアパーチャ内に延びるように構成された延長部を有する前記マウントプレート、又は
前記小売棚及び少なくとも１つのマウントタブにマウントされるように構成されたマウントレールであって、前記少なくとも１つのマウントタブを隣接する歯の間のスペースで受けるように間隔を空けて配置された複数の歯を含み、前記少なくとも１つのマウントタブが前記前面ストッパ上に形成されている、前記マウントレール
のいずれかを含む、付記１７に記載の小売商品トレー。
〔付記１９〕
前記前面ストッパはマウント部分及び直立部分を含み、前記マウント部分は、剛体の１ピースの構成要素として前記直立部分と一体成形されているか、前記直立部分とは別個のピースとして成形されているか、のいずれかであり、前記直立部分と前記マウント部分との間にヒンジが形成されて、前記直立部分が前記ヒンジを中心に前記マウント部分に対して回転することが可能になっている、付記１８に記載の小売商品トレー。
〔付記２０〕
前記横方向要素は、対向する端部のペアを含み、前記対向する端部の各端部に隣接してキーが形成されており、各キーは、それぞれ、前記耐荷重部材ペアの各耐荷重部材に形成されたキー溝を通り抜けるように配置されており、それによって、前記耐荷重部材ペアは前記横方向部材の各端部に形成された前記キーの間に介在する、付記１１に記載の小売商品トレー。
〔付記２１〕
対向する耐荷重部材のペアと、
前記耐荷重部材ペアにマウントされた前面ストッパと、
ワイヤ支持構造であって、前記ワイヤ支持構造は、横方向要素と、前記横方向要素から延びる少なくとも１つの長手方向要素とを含み、前記横方向要素は、対向する端部のペアを含み、前記対向する端部の各端部に隣接してキーが形成されており、各キーは、それぞれ、前記耐荷重部材ペアの各耐荷重部材に形成されたキー溝を通り抜けるように配置されており、それによって、前記耐荷重部材ペアは前記横方向部材の各端部に形成された前記キーの間に介在する、前記ワイヤ支持構造と、
前記ワイヤ支持構造にマウントされたプッシャであって、前記プッシャは、前記ワイヤ支持構造に沿って、第１の軸の方向に前記前面ストッパに向かったり、前記前面ストッパから離れたりするように動くことが可能である、前記プッシャと、
前記対向する耐荷重部材のペアに対して、前記第１の軸に垂直な第２の軸の方向に動くことが可能な少なくとも１つの仕切りアセンブリと、
前記第１の軸に沿って整列しており、前記耐荷重部材ペアの間に介在し、前記ワイヤ支持フレームの下に位置するスペーサのペアと、
を含む小売商品トレー。
〔付記２２〕
前記少なくとも１つの仕切りアセンブリは仕切りアセンブリのペアを含み、前記仕切りアセンブリペアは、前記第２の軸の周囲を動くことが可能であり、前記耐荷重部材ペアが前記仕切りアセンブリペアの間に介在するように前記仕切りアセンブリペアが配列されている、付記２１に記載の小売商品トレー。
〔付記２３〕
前記ワイヤ支持構造は、対向する第１及び第２の端部を有し、前記ワイヤ支持構造は、前記第１の端部において前記前面ストッパに取り外し可能に取り付けられており、前記第２の端部において前記耐荷重部材ペアに取り外し可能に取り付けられている、付記２１に記載の小売商品トレー。
〔付記２４〕
前記仕切り壁は、対向する側面を有する直立部分を含み、前記対向する側面の少なくとも一方からフランジが前記直立部分に垂直に延びている、付記２３に記載の小売商品トレー。
〔付記２５〕
前記少なくとも１つの仕切りアセンブリは、摺動可能な接続によって前記少なくとも一方のフランジに接続されたバッフルプレート延長部を含み、前記バッフルプレート延長部は、前記スペーサペアに対して摺動可能であるように、且つ、前記仕切り壁に対して摺動可能であるように、摺動可能な接続によって前記スペーサペアの各スペーサにマウントされている、付記２４に記載の小売商品トレー。
〔付記２６〕
前記バッフルプレート延長部と前記少なくとも一方のフランジとの間の前記摺動可能な接続は、前記フランジから下向きに延びるタブと、前記バッフルプレート延長部に形成されて、前記タブを受けるスロットと、を含み、前記バッフルプレート延長部と前記スペーサペアとの間の前記摺動可能な接続は、前記バッフルプレート延長部上に形成されたクリップのペアを含み、前記クリップペアの一方のクリップは、前記スペーサペアの一方のスペーサに接続され、前記クリップペアの他方のクリップは、前記スペーサペアの他方のスペーサに接続される、付記２５に記載の小売商品トレー。
〔付記２７〕
前記スペーサペアに接続されたバッフルプレートを更に含み、前記バッフルプレートはクリップのペアを含み、前記クリップペアの一方のクリップは、前記スペーサペアの一方のスペーサに接続され、前記クリップペアの他方のクリップは、前記スペーサペアの他方のスペーサに接続される、付記２６に記載の小売商品トレー。
〔付記２８〕
前記小売商品トレーを棚にマウントする棚マウント構成を更に含み、前記棚マウント構成は、
前記スペーサペアの一方に取り外し可能に取り付けられたマウントプレートであって、前記トレーを前記棚に固定する為に前記棚のアパーチャ内に延びるように構成された延長部を有する前記マウントプレート、又は
前記小売棚及び少なくとも１つのマウントタブにマウントされるように構成されたマウントレールであって、前記少なくとも１つのマウントタブを隣接する歯の間のスペースで受けるように間隔を空けて配置された複数の歯を含み、前記少なくとも１つのマウントタブが前記前面ストッパ上に形成されている、前記マウントレール
のいずれかを含む、付記２１に記載の小売商品トレー。
〔付記２９〕
前記前面ストッパはマウント部分及び直立部分を含み、前記マウント部分は、剛体の１ピースの構成要素として前記直立部分と一体成形されているか、前記直立部分とは別個のピースとして成形されているか、のいずれかであり、前記直立部分と前記マウント部分との間にヒンジが形成されて、前記直立部分が前記ヒンジを中心に前記マウント部分に対して回転することが可能になっている、付記２８に記載の小売商品トレー。
〔付記３０〕
前記少なくとも１つの仕切りアセンブリは、仕切り壁と、ワイヤ支持物のペアとを含み、前記ワイヤ支持物ペアは、弾性接続によって、前記仕切りに取り外し可能に取り付けられている、付記２１に記載の小売商品トレー。
【国際調査報告】
2021504094.tif 000026
2021504094.tif 000027
2021504094.tif 000028